(57)【要約】      （修正有）【課題】投てき型消火用具に用いられるおいて、優れた消火性能を有しつつ扱い易く製造コストも安く、人・環境に対する毒性も極めて少なく長期保存可能な消火剤を提供する。【解決手段】消火剤が内部に充填された容器２を投てきすることにより消火を行う投てき消火弾１であって、容器に充填する消火剤４として、0.01モル／リットルから0.1モル／リットルの濃度の塩化第一鉄四水和物の水溶液、または0.01モル／リットルから0.1モル／リットルの濃度の塩化第一鉄四水和物の水溶液に界面活性剤であるラウリル硫酸ナトリウムを混合させた水溶液、のいずれかを用いることを特徴とする投てき消火弾１とする。【選択図】図１
2017070509.tif 000002
【特許請求の範囲】
【請求項１】
消火剤が内部に充填された容器を投てきすることにより消火を行う投てき消火弾であって、容器に充填する消火剤として、0.01モル／リットルから0.1モル／リットルの濃度の塩化第一鉄四水和物の水溶液、または0.01モル／リットルから0.1モル／リットルの濃度の塩化第一鉄四水和物の水溶液に界面活性剤であるラウリル硫酸ナトリウムを混合させた水溶液、のいずれかを用いることを特徴とする投てき消火弾。
【発明の詳細な説明】
【技術分野】
【０００１】
本発明は、火災発生時に消火剤を充填した容器を火元に投てきすることにより消火を行う投てき型消火用具に用いる消火剤に関する。
【背景技術】
【０００２】
火災は燃焼の初期段階で消火することが被害拡大を防ぐうえで重要であり、消火器はその役割を担う消火用具であるが、一般的に消火器の取り扱いはさほど簡単ではなく訓練を要する。  これに対して投てき消火弾は手ごろな大きさで持ち易く投げ易いので、火元めがけて投げ込むだけの簡単な操作で消火活動を行える、という点で初期消火には効果的な手法といえる。
【０００３】
この投てき消火弾に類する消火用具としては様々なものが商品化されており、これらに用いられる消火剤としては、消火性能はもとより価格、長期安定性、人や環境に対する毒性などを総合的に満足すべく改良されつつある。  これらの商品は消火性能に関してはどれも同等レベルにあるといえるが、長期安定性や人・環境に対する毒性に関してはさまざまで、両方を満足させるものがないのが現状である。
【０００４】
このような現状に鑑み、十分な消火性能を有し、廉価で長期安定性にも優れ人や環境に対する毒性の低い消火剤を用いた商品が望まれている。
【先行技術文献】
【特許文献】
【０００５】
【特許文献１】特開２０１５−１２３３１３号公報
【非特許文献】
【０００６】
【非特許文献１】消研輯報６３  小柴佑介＆大谷英雄著「投てき型消火器具用消火剤に関する実験的研究」  消防庁消防大学校消防研究センター出版  平成２１年度
【発明の概要】
【発明が解決しようとする課題】
【０００７】
投てき消火弾用の消火剤としてはアンモニア系、硫酸アルミニウム系、炭酸カリウム系などの消火剤がよく使用されている。  これらは消火性能や化学的安定性については優れているが、刺激臭や毒性を有するなどの点で必ずしも消火剤として十分な適性を有するものとはいえない。
【０００８】
これらに対して、0.2モル程度の塩化第一鉄の水溶液を消火剤として用いたものについて消火実験を含めて評価した際には、消火性能はありコストは安く人や環境に対する毒性も非常に低いものの、保管時に酸化鉄と考えられる析出物が析出してしまうために長期備蓄には向かない、という問題点が認識された。
【０００９】
そこで、保管中の酸化鉄の析出量を減らすことができれば、塩化第一鉄の水溶液は好適な消火剤となり得る、と考える。
【課題を解決するための手段】
【００１０】
塩化第一鉄の水溶液の濃度を減らすことで保管中の酸化鉄の析出量を減らすことができると考えられる。  しかし、これは消火性能を低下させないという前提であり、消火実験を繰り返して解を探る必要が生じた。  消火実験の結果、0.01モル〜0.1モルの濃度範囲の塩化鉄水溶液であれば十分な消火性能を維持しつつ保管中の酸化鉄の析出量を減らすことができ長期保存も可能なことが分かった。
【００１１】
同時に、消火性能の向上、保存期間の長期化への対応を可能とする、その他の方策も併せて実施することとした。
【００１２】
具体的には、消火性能の向上に関しては界面活性剤を追加混合させるものである。
【００１３】
保存期間の長期化については、実際に0.01モル〜0.1モルの塩化第一鉄の水溶液の製造後５年経過したものを評価したところ、酸化鉄の析出量は微量に見られたものの消火性能の劣化は見られなかった。  さらに、容器に蓋を設けることで消火剤の充填のみならず消火剤の交換をも容易に行えるようになり、消火剤の交換によって相当長期に亘って投てき消火弾としての有効性が維持される、と考えられる。
【００１４】
さらに、塩化第一鉄水溶液の濃度を0.2モルから、0.01モル〜0.1モルの範囲に薄めることにより、製造コストの低減、人や環境への毒性のさらなる低減、に資することもできる。
【発明の効果】
【００１５】
消火用具の消火性能について公的に規定されている消火実験基準に従って行った消火実験において、本発明の投てき消火弾は、水の１０倍近くの消火性能を有することが分かった。
【図面の簡単な説明】
【００１６】
【図１】第一実施例および第二実施例の方法にて調合した消火剤を充填した投てき消火弾の全体図
【発明を実施するための形態】
【００１７】
以下に、本発明の二種類の消火剤について、その調製方法を示す。  なお、いずれの場合も塩化第一鉄四水和物（FeCl2・4H2O）を用いて0.1モル塩化第一鉄（FeCl2）水溶液を1リットル調製する場合の数値を示す。
【実施例１】
【００１８】
以下に、0.1モル塩化第一鉄（FeCl2）水溶液を1リットル調製する場合の調製方法を示す。  まず、電子天秤を用いて塩化第一鉄四水和物（FeCl2・4H2O） 19.881グラムを計量する。
【００１９】
計量した塩化第一鉄四水和物（FeCl2・4H2O）を適当なガラス容器に入れ、これに適量の純水を加えて撹拌し完全に溶解させる。
【００２０】
前記段落００１９で溶解させた水溶液を1リットルメスフラスコに移し、メスフラスコの標線まで純水を加え、濃度が均一になるように撹拌する。
【実施例２】
【００２１】
以下に、0.1モル塩化第一鉄（FeCl2）および2ボリュームパーセントのラウリル硫酸ナトリウム水溶液を1リットル調製する場合の調製方法を示す。  まず、電子天秤を用いて塩化第一鉄四水和物（FeCl2・4H2O） 19.881グラムを計量する。
【００２２】
計量した塩化第一鉄四水和物（FeCl2・4H2O）を適当なガラス容器に入れ、これに適量の純水を加えて撹拌し完全に溶解させる。
【００２３】
電子天秤を用いてラウリル硫酸ナトリウム29.7030グラムを計量する。
【００２４】
計量したラウリル硫酸ナトリウムを適当なガラス容器に入れ、これに適量の純水を加えて撹拌し完全に溶解させる。  ここで、ラウリル硫酸ナトリウムは水にやや溶解しにくいので、必要に応じて昇温しながら撹拌する。
【００２５】
塩化第一鉄四水和物（FeCl2・4H2O）を、前記段落００２２で溶解させた水溶液に、前記段落００２４で溶解させた水溶液を加える。  この時点での水溶液の撹拌は泡により液量が判別しにくくなるため避ける。
【００２６】
前記段落００２５の溶液1リットルをメスフラスコに移し、メスフラスコの標線まで純水を加え、濃度が均一になるように撹拌する。
【産業上の利用可能性】
【００２７】
水と比較して１０倍近くの消火性能を有し、かつ他の投てき消火弾に採用されている消火剤と比較しても同等レベル以上の消火性能等を有する消火剤によって、投てきという容易に行える消火のための操作によって火災の初期消火を図ることのできる投てき消火弾を提供することができる。
【００２８】
さらに、使用する消火剤量はその消火性能を維持できる範囲で減量することができることにより製造コストが低減されるとともに、保存中に生じ得る酸化鉄の析出量も少量に抑えらる点からは保存の長期化に寄与し、さらに容器の蓋を経由して消火剤の交換も行えるために、消火剤のみの交換が可能となり長期的に見た場合のコスト低減に寄与する。
【００２９】
さらに、人・環境に対する毒性についても、本発明による濃度においては、以前に評価した濃度のものと比較してさらに低くなっているため、商品として有用性が高く使用の促進が期待できる。
【００３０】
このように商品化の価値は高いもの、と考えられる。
【符号の説明】
【００３１】
１  投てき消火弾
２  容器
３  容器の蓋
４  消火剤（容器内）
【図１】
2017070509.tif 000003